(57)【要約】【課題】  簡易な構造で、外部漏洩するノイズを抑制することができるシールド電線の接続構造を提供する。【解決手段】  伝導性材料からなるプレート３１は、同じく伝導性材料からなるモータハウジング１１に結合されて、同モータハウジング１１との間でターミナル２５と給電線１４との接続部２６を保護する。プレート３１は、編組導体２３から露出させた絶縁電線２２（単線部２２ａ）を覆ってモータハウジング１１との間で当該絶縁電線２２をシールドする。【選択図】      図１
2007005143.tif 000002
【特許請求の範囲】
【請求項１】
絶縁電線が編組導体で覆われたシールド電線の、該編組導体から露出させた前記絶縁電線の端末部を電動機の給電線に接続して、該給電線に選択的に極性が切り替わる給電を行うシールド電線の接続構造において、
前記電動機の伝導性材料からなるハウジングに結合されて、該ハウジングとの間で前記端末部と前記給電線との接続部を保護する伝導性材料からなる保護部材を備え、
前記保護部材は、前記編組導体から露出させた前記絶縁電線を覆って前記ハウジングとの間で該絶縁電線をシールドする被覆部を有することを特徴とするシールド電線の接続構造。
【請求項２】
請求項１に記載のシールド電線の接続構造において、
前記編組導体で覆われる前記絶縁電線は複数であることを特徴とするシールド電線の接続構造。
【請求項３】
請求項１又は２に記載のシールド電線の接続構造において、
前記被覆部は、
前記ハウジングの軸線に沿って延びる天板部と、
前記天板部の両側に連続して前記ハウジング側に延出する一対の側壁部とを有することを特徴とするシールド電線の接続構造。
【請求項４】
請求項１〜３のいずれか一項に記載のシールド電線の接続構造において、
前記編組導体から露出させた前記絶縁電線には、伝導性材料からなるテープが巻かれていることを特徴とするシールド電線の接続構造。
【発明の詳細な説明】
【技術分野】
【０００１】
本発明は、シールド電線の接続構造に関するものである。
【背景技術】
【０００２】
従来、シールド電線の接続構造として種々のものが提案されている。例えば、特許文献１では、シールド電線としての同軸ケーブルの接続において、シールドコネクタが採用されている。このシールドコネクタは、先端に導電性金属にて成形されたシールドを備えており、このシールドに設けた係合爪を相手方（ソケット）と係合させることでこれらの接続の信頼性を高めている。
【０００３】
また、特許文献２では、シールド電線の絶縁電線を覆う編組導体をシールドシェルに接続し、これをシールドケースに締結することでシールド対策が講じられている。
【特許文献１】特開２０００−２１５９４８号公報
【特許文献２】特開２００３−２６４０４０号公報
【発明の開示】
【発明が解決しようとする課題】
【０００４】
ところで、特許文献１では、シールドコネクタを採用する分、全体として大型化することになり、その搭載スペースの増大を余儀なくされる。
また、特許文献２では、編組導体とシールドシェル（インナシェル及びアウタシェル）との接続構造が複雑で組付け工数の増大を余儀なくされる上、この状態でのシールドケースへの組付けも困難であることが推測される。
【０００５】
本発明の目的は、簡易な構造で、外部漏洩するノイズを抑制することができるシールド電線の接続構造を提供することにある。
【課題を解決するための手段】
【０００６】
上記問題点を解決するために、請求項１に記載の発明は、絶縁電線が編組導体で覆われたシールド電線の、該編組導体から露出させた前記絶縁電線の端末部を電動機の給電線に接続して、該給電線に選択的に極性が切り替わる給電を行うシールド電線の接続構造において、前記電動機の伝導性材料からなるハウジングに結合されて、該ハウジングとの間で前記端末部と前記給電線との接続部を保護する伝導性材料からなる保護部材を備え、前記保護部材は、前記編組導体から露出させた前記絶縁電線を覆って前記ハウジングとの間で該絶縁電線をシールドする被覆部を有することを要旨とする。
【０００７】
請求項２に記載の発明は、請求項１に記載のシールド電線の接続構造において、前記編組導体で覆われる前記絶縁電線は複数であることを要旨とする。
請求項３に記載の発明は、請求項１又は２に記載のシールド電線の接続構造において、前記被覆部は、前記ハウジングの軸線に沿って延びる天板部と、前記天板部の両側に連続して前記ハウジング側に延出する一対の側壁部とを有することを要旨とする。
【０００８】
請求項４に記載の発明は、請求項１〜３のいずれか一項に記載のシールド電線の接続構造において、前記編組導体から露出させた前記絶縁電線には、伝導性材料からなるテープが巻かれていることを要旨とする。
【０００９】
（作用）
請求項１又は２に記載の発明によれば、前記被覆部は、伝導性材料同士の前記保護部材及び前記ハウジングが結合されて、該ハウジングと同電位とされる。この被覆部は、前記編組導体から露出させた前記絶縁電線を前記ハウジングとの間でシールドすることで、該編組導体から露出させた前記絶縁電線からノイズ（スイッチングノイズ）が外部漏洩することを抑制する。このように、前記編組導体から露出させた前記絶縁電線のシールドは、伝導性材料からなる保護部材に一体的に設けた極めて簡易な構造を有する前記被覆部にて行われる。また、前記被覆部を前記保護部材に一体的に設けたことで、部品点数の増大が抑制される。
【００１０】
請求項３に記載の発明によれば、前記被覆部は、前記天板部及び一対の側壁部を有してコ字状に成形される。従って、前記編組導体から露出させた前記絶縁電線は、前記被覆部及びハウジング間で四方を包囲される態様でシールドされるため、そのシールド性能が向上される。
【００１１】
請求項４に記載の発明によれば、前記編組導体から露出させた前記絶縁電線には、伝導性材料からなるテープが巻かれていることで、当該絶縁電線のシールド性能が更に向上される。
【発明の効果】
【００１２】
請求項１乃至４に記載の発明では、簡易な構造で、外部漏洩するノイズを抑制することができる。
【発明を実施するための最良の形態】
【００１３】
以下、本発明を電動機としての３相ブラシレスモータに具体化した一実施形態を図１〜図３に従って説明する。なお、図１（ａ）は、このブラシレスモータの主要部を示す平面図であり、図１（ｂ）は、図１（ａ）の１Ｂ−１Ｂ線に沿った断面図である。同図において、左右方向はモータの軸方向に相当する。
【００１４】
図３に示したように、ブラシレスモータ１０は、Ｕ相、Ｖ相、Ｗ相の巻線１０ａ，１０ｂ，１０ｃを備えた固定子等を備えており、ドライバ回路（インバータ回路）にてこれら巻線１０ａ〜１０ｃに選択的に極性を切り替えて給電することで回転駆動される。
【００１５】
図１に示されるように、ブラシレスモータ１０は、固定子を収容する伝導性材料（伝導性金属）からなるモータハウジング１１を備えている。そして、このモータハウジング１１の軸方向一側（図１（ｂ）の左側）には、外周面１１ａから径方向外側に突設されたブロック状の台座部１２が一体形成されている。また、上記モータハウジング１１の軸方向他側（図１（ｂ）の右側）には、外周面１１ａから径方向外側に突設された箱状の収容部１３が一体形成されている。この収容部１３は、台座部１２と軸方向に並んで配置されている。上記収容部１３には、個別に前記各巻線１０ａ〜１０ｃと電気的に接続される複数（３本）の給電線１４が収容されている。これら給電線１４は、収容部１３（モータハウジング１１）から電気的に開放されている。
【００１６】
前記モータハウジング１１には、シールド電線２１が支持されている。このシールド電線２１は、複数（３本）の絶縁電線２２を筒状の編組導体２３で一括して覆い、更にこの編組導体２３を絶縁材料からなる筒状の被覆材２４で被覆した構造を有している。そして、各絶縁電線２２は、例えば銅線などの芯線を絶縁材料で被覆した構造を有している。これら絶縁電線２２の一端は、ドライバ回路と電気的に接続されている。このシールド電線２１は、前記台座部１２に載置される態様でモータハウジング１１に支持されている。
【００１７】
また、上記シールド電線２１は、前記台座部１２の先端において、被覆材２４ともども前記編組導体２３が剥がされている。そして、前記編組導体２３から露出させた前記各絶縁電線２２（以下、「単線部２２ａ」という）は、前記収容部１３側に個別に延びてその内部に導入・収容されている。また、各単線部２２ａの先端には、その芯線にカシメにて固定された端末部としてのターミナル２５が設けられている。これらターミナル２５は、収容部１３（モータハウジング１１）から電気的に開放されている。上記各ターミナル２５は、例えばボルト−ナット締結にて前記給電線１４に個別に接続されて、給電線１４との接続部２６を構成している。これら接続部２６が収容部１３（モータハウジング１１）から電気的に開放されていることはいうまでもない。そして、ドライバ回路は、各絶縁電線２２を介して給電線１４に電気的に接続されて、同給電線１４（巻線１０ａ〜１０ｃ）に選択的に極性が切り替わる給電を行う。
【００１８】
前記収容部１３には、保護部材としてのプレート３１がビス３２にて締結されている。このプレート３１は、伝導性材料（伝導性金属）からなる板材を曲げ加工することで成形されており、本体部３３と、被覆部３４とを一体的に有している。上記本体部３３は、前記収容部１３の外側（径方向外側）の開口部を閉塞しており、同収容部１３（モータハウジング１１）との間で前記接続部２６を保護する。例えば、本体部３３は、上記接続部２６への浸水を防止する。
【００１９】
前記被覆部３４は、伝導性材料同士の前記プレート３１及び前記モータハウジング１１が結合されることで、同モータハウジング１１と同電位とされている。この被覆部３４は、前記本体部３３に連続してシールド電線２１（単線部２２ａ）側に延出する天板部３４ａと、同天板部３４ａの両側（図１（ａ）の上下両側）に連続して前記モータハウジング１１側に延出する一対の側壁部３４ｂとを有している。
【００２０】
上記天板部３４ａは、軸方向に対し先端が径方向外側に傾斜するように成形されており、前記モータハウジング１１の軸方向に沿って前記単線部２２ａの外側を覆う。また、上記一対の側壁部３４ｂは、前記モータハウジング１１の軸方向に直交する方向で、前記単線部２２ａを包囲する。これら天板部３４ａ及び両側壁部３４ｂは、前記モータハウジング１１との間で前記単線部２２ａをシールドする。従って、前記単線部２２ａは、これら天板部３４ａ及び側壁部３４ｂによりコ字状に成形された前記被覆部３４と、前記モータハウジング１１との間で四方を包囲される態様でシールドされる。
【００２１】
また、図２に示したように、前記編組導体２３から露出する前記各絶縁電線２２の分岐部から被覆材２４で被覆等されたシールド電線２１の中間部にかけて、伝導性材料からなるテープ３６が巻き付けられている（図１では便宜的に図示省略）。これは、特に、前記被覆部３４の覆いから外れて前記編組導体２３から露出する前記各絶縁電線２２の分岐部をシールドして、同絶縁電線２２のシールド性能を更に向上するためである。
【００２２】
なお、前記天板部３４ａが、軸方向に対し先端が径方向外側に傾斜するように成形されているのは、その開口側を拡張して前記単線部２２ａの導入を円滑に案内するためである。
【００２３】
ここで、前記シールド電線２１を給電線１４に電気的に接続等する際の組付け態様について総括して説明する。まず、シールド電線２１の端末において、前記被覆材２４ともども前記編組導体２３を剥がす。次に、３本に分岐可能となった各単線部２２ａの先端（芯線）にターミナル２５をカシメにて固定する。次いで、前記編組導体２３から露出する前記各絶縁電線２２の分岐部から被覆材２４で被覆等されたシールド電線２１の中間部にかけて、前記テープ３６を巻き付ける。次に、前記単線部２２ａの先端に固定されたターミナル２５を、締結にて前記給電線１４に個別に接続する。その後、前記収容部１３に前記プレート３１を締結し、前記被覆部３４と前記モータハウジング１１との間で前記単線部２２ａをシールドする。
【００２４】
以上詳述したように、本実施形態によれば、以下に示す効果が得られるようになる。
（１）本実施形態では、前記被覆部３４は、前記単線部２２ａを前記モータハウジング１１との間でシールドすることで、同単線部２２ａからノイズ（スイッチングノイズ）が外部漏洩することを抑制する。このように、前記単線部２２ａのシールドを、伝導性材料からなるプレート３１に一体的に設けた極めて簡易な構造を有する前記被覆部３４にて行うことができる。また、前記被覆部３４を前記プレート３１に一体的に設けたことで、部品点数の増大を抑制することができる。
【００２５】
（２）本実施形態では、前記被覆部３４は、前記天板部３４ａ及び一対の側壁部３４ｂを有してコ字状に成形される。従って、前記単線部２２ａは、前記被覆部３４及びモータハウジング１１間で四方を包囲される態様でシールドされるため、そのシールド性能を向上することができる。
【００２６】
（３）本実施形態では、例えばシールドコネクタを採用する場合に比べ、シールド電線２１のシールド構造を少スペース化することができる。また、絶縁電線２２のターミナル２５をモータハウジング１１（収容部１３）に導入して給電線１４と接続する際、各絶縁電線２２（単線部２２ａ）が分かれていることから、良好な組付け性を確保することができる。
【００２７】
（４）本実施形態では、各単線部２２ａの先端にターミナル２５を固定する際、各絶縁電線２２（単線部２２ａ）が分かれていることから、当該作業を円滑に行うことができる。
【００２８】
なお、上記実施形態は以下のように変更してもよい。
・前記実施形態において、前記一対の側壁部３４ｂの少なくとも一方を割愛してもよい。
【００２９】
・前記実施形態において、シールド電線２１が備える絶縁電線２２は、１本、２本あるいは４本以上であってもよい。
・前記実施形態において、給電線１４に対する極性の切り替えは、例えば所定のマイナス側の電位及びプラス側の電位間での切り替えであってもよく、あるいは所定のプラス側の電位及びグラウンド電位間での切り替えであってもよい。
【００３０】
・本発明は、３相以外の多相モータ（例えば５相ステッピングモータなど）に適用してもよい。
【図面の簡単な説明】
【００３１】
【図１】（ａ）（ｂ）は本発明の一実施形態を示す平面図及び断面図。
【図２】同実施形態を示す平面図。
【図３】ブラシレスモータを示す回路図。
【符号の説明】
【００３２】
１０…電動機としてのブラシレスモータ、１１…ハウジングとしてのモータハウジング、１３…収容部、１４…給電線、２１…シールド電線、２２…絶縁電線、２２ａ…単線部、２３…編組導体、２４…被覆材、２５…端末部としてのターミナル、２６…接続部、３１…保護部材としてのプレート、３３…本体部、３４…被覆部、３４ａ…天板部、３４ｂ…側壁部、３６…テープ。
【図１】
2007005143.tif 000003
【図２】
2007005143.tif 000004
【図３】
2007005143.tif 000005